(57)【要約】【課題】安価に複数の仕様のスライドスイッチに対応すること。【解決手段】スライド部材５に設けられた可動接点７と摺接する固定接点２７が埋設された固定接点付きケース２において、スライド部材５のスライド方向に沿って設けられ、スライド部材５を操作前の状態に復帰させるためのコイルばね３を収納可能な一対の第１ばね収納部２５と、スライド部材５の係合片５３ａと係脱してクリック感触を生起させるための板ばね４を収納可能な第２ばね収納部２６とを具備することを特徴とする。【選択図】図１
2010135251.tif 000002
【特許請求の範囲】
【請求項１】
スライド部材に設けられた可動接点と摺接する固定接点が埋設された固定接点付きケースであって、
前記スライド部材のスライド方向に沿って設けられ、前記スライド部材を操作前の状態に復帰させるための復帰用ばねを収納可能な一対の第１のばね収納部と、前記スライド部材の一部と係脱してクリック感触を生起させるための板ばねを収納可能な第２のばね収納部とを具備することを特徴とする固定接点付きケース。
【請求項２】
前記一対の第１のばね収納部及び前記第２のばね収納部を、ケース本体の内底面に立設した仕切り壁により区画して設けると共に、当該仕切り壁における前記一対の第１のばね収納部間に位置する部分に前記スライド部材と係脱する前記板ばねの一部を突出させる切欠き部を形成したことを特徴とする請求項１記載の固定接点付きケース。
【請求項３】
前記固定接点を前記内底面に露出して形成すると共に、当該内底面に立設された側壁部に前記スライド部材の操作部をスライド移動可能に露出させる開口部を設けたことを特徴とする請求項２記載の固定接点付きケース。
【請求項４】
ケース本体の前記固定接点が露出する空間と前記第２のばね収納部との間に前記第１のばね収納部を配置すると共に、当該第１のばね収納部と前記固定接点が露出する空間との間に隔壁を設けたことを特徴とする請求項３記載の固定接点付きケース。
【請求項５】
請求項２記載の固定接点付きケースに、可動接点が設けられると共にばね駆動部を有する金属板が埋設されたスライド部材をスライド移動可能に収納する一方、前記一対の第１のばね収納部の少なくともいずれか一方に金属製のコイルばねからなる復帰用ばねを収納し、前記スライド部材のスライド移動時に、前記ばね駆動部により前記復帰用ばねを駆動させることを特徴とするスライドスイッチ。
【請求項６】
前記一対の第１のばね収納部の一方に前記復帰用ばねを収納する一方、前記金属板に一対の片部をスライド移動方向に沿って間隔を有して設け、前記復帰用ばねに近い一方の前記片部で前記ばね駆動部を構成すると共に、当該片部と接離する突部を設けた板ばねを当該突部が前記切欠き部から突出するように前記第２のばね収納部に収納し、前記復帰用ばねに遠い他方の前記片部を前記板ばねの突部に接触しない位置で切断したことを特徴とする請求項５記載のスライドスイッチ。
【請求項７】
前記板ばねの突部を前記ばね駆動部としての前記片部と係脱可能とし、前記スライド部材は、当該片部が前記コイルばねの一端と前記板ばねの突部との間に配置された第１状態を基準として、一方向へスライド移動すると前記コイルばねが圧縮される第２状態となる一方、他方向へスライド移動すると前記片部が前記板ばねの突部と係脱して第３状態となり、前記片部の側端部が前記板ばねの突部と対向して前記第３状態に保持されることを特徴とする請求項６記載のスライドスイッチ。
【請求項８】
前記一対の第１のばね収納部の両方に前記復帰用ばねを収納し、前記金属板に前記ばね駆動部を構成する一対の片部を設けたことを特徴とする請求項５記載のスライドスイッチ。
【請求項９】
前記固定接点を前記内底面に露出して形成すると共に、前記固定接点が露出する空間と前記第２のばね収納部との間に前記第１のばね収納部を配置すると共に、当該第１のばね収納部と前記固定接点が露出する空間との間に隔壁を設けたことを特徴とする請求項５から請求項８のいずれかに記載のスライドスイッチ。
【請求項１０】
前記金属板は、前記スライド部材のスライド移動方向に沿って当該スライド部材の一端から他端に亘って延設されることを特徴とする請求項５から請求項９のいずれかに記載のスライドスイッチ。
【請求項１１】
前記金属板の一部を、前記収納部を蓋閉するカバー部材と前記隔壁の端面との間に配置し、当該金属板の一部で前記スライド部材がスライド移動可能に案内されることを特徴とする請求項９記載のスライドスイッチ。
【発明の詳細な説明】
【技術分野】
【０００１】
本発明は、固定接点付きケース及びそれを備えたスライドスイッチに関し、特に、スライド部材に設けられた可動接点と摺接する固定接点が埋設された固定接点付きケース及びそれを備えたスライドスイッチに関する。
【背景技術】
【０００２】
従来、ケース本体とケースカバーとで画成された収容室内に、スライド部材の前後移動に応じて伸縮してスライド部材を中立位置に自動復帰させるコイルばねを設けると共に、スライド部材のスライド切り換え操作にクリック感触を与える凹部及び凸部からなるクリック機構における凸部をケースカバーに設ける一方、凹部をスライド部材に設けたスライドスイッチが提案されている（例えば、特許文献１参照）。このスライドスイッチにおいては、単一のコイルばねをスライド部材の下方側領域でスライド方向に延出するように配置し、前後の双方向の移動に応じてスライド部材を自動復帰させると共に、スライド操作に伴ってケースカバーの凸部をスライド部材の凹部と係脱させてクリック感触を生起させている。
【特許文献１】特開２００７−３２３９４２号公報
【発明の開示】
【発明が解決しようとする課題】
【０００３】
しかしながら、上述した従来のスライドスイッチにおいては、単一のコイルばねにより前後の双方向の移動に応じてスライド部材を自動復帰させると共に、ケースカバーの凸部と係脱してクリック感触を生起させることを前提とする形状にスライド部材を成形している。このため、例えば、一方向のスライド操作のみの自動復帰を所望するスライドスイッチや、クリック感触を必要としないスライドスッチに対応するためには、スライド部材自体の形状を変更しなければならず、成形金型の変更を伴うこととなり、安価に複数の仕様のスライドスイッチに対応することができないという問題がある。
【０００４】
本発明はかかる問題点に鑑みて為されたものであり、安価に複数の仕様のスライドスイッチに対応することができる固定接点付きケース及びそれを備えたスライドスイッチを提供することを目的とする。
【課題を解決するための手段】
【０００５】
本発明の固定接点付きケースは、スライド部材に設けられた可動接点と摺接する固定接点が埋設された固定接点付きケースであって、前記スライド部材のスライド方向に沿って設けられ、前記スライド部材を操作前の状態に復帰させるための復帰用ばねを収納可能な一対の第１のばね収納部と、前記スライド部材の一部と係脱してクリック感触を生起させるための板ばねを収納可能な第２のばね収納部とを具備することを特徴とする。
【０００６】
上記固定接点付きケースによれば、一対の第１のばね収納部及び第２のばね収納部に対して復帰用ばねや板ばねを選択的に収納することにより、一方向又は双方向のスライド操作に応じてスライド部材を復帰させるスライドスイッチや、スライド操作に伴うクリック感触を必要又は不要とするスライドスイッチに対応することができるので、成形金型の変更を必要とすることなく、安価に複数の仕様のスライドスイッチに対応することが可能となる。
【０００７】
本発明の固定接点付きケースにおいては、前記一対の第１のばね収納部及び前記第２のばね収納部を、ケース本体の内底面に立設した仕切り壁により区画して設けると共に、当該仕切り壁における前記一対の第１のばね収納部間に位置する部分に前記スライド部材と係脱する前記板ばねの一部を突出させる切欠き部を形成したことが好ましい。この場合には、一対の第１のばね収納部間に形成した切欠き部からスライド部材と係脱する板ばねの一部を突出させ、この板ばねの一部を復帰用ばねの圧縮方向の延長線上に配置することができることができるので、スライド部材のスライド方向と直交する方向のケース本体の寸法を小型化することが可能となる。
【０００８】
また、本発明の固定接点付きケースにおいては、前記固定接点を前記内底面に露出して形成すると共に、当該内底面に立設された側壁部に前記スライド部材の操作部をスライド移動可能に露出させる開口部を設けることが好ましい。この場合には、ケース本体の内底面に形成された固定接点と、操作部を露出させる開口部とが対向して配置される位置関係となるのを防止できるので、操作部を露出させる開口部から異物を侵入し難くすることができ、適用されるスライドスイッチの動作の信頼性を高めることが可能となる。
【０００９】
特に、本発明の固定接点付きケースにおいては、ケース本体の前記固定接点が露出する空間と前記第２のばね収納部との間に前記第１のばね収納部を配置すると共に、当該第１のばね収納部と前記固定接点が露出する空間との間に隔壁を設けることが好ましい。この場合には、固定接点が露出する空間と、第１、第２のばね収納部とが隔壁により仕切られていることから、第１のばね収納部に収納される復帰用ばねや、第２のばね収納部に収納される板ばね等に摩耗粉が発生した場合においても、これらの摩耗粉を固定接点に侵入し難くすることができ、適用されるスライドスイッチの動作の信頼性を高めることが可能となる。
【００１０】
本発明のスライドスイッチは、請求項２記載の固定接点付きケースに、可動接点が設けられると共にばね駆動部を有する金属板が埋設されたスライド部材をスライド移動可能に収納する一方、前記一対の第１のばね収納部の少なくともいずれか一方に金属製のコイルばねからなる復帰用ばねを収納し、前記スライド部材のスライド移動時に、前記ばね駆動部により前記復帰用ばねを駆動させることを特徴とする。
【００１１】
上記スライドスイッチによれば、金属板の一部で構成されるばね駆動部で金属性のコイルばねを駆動していることから、スライド操作に伴うスライド部材及び復帰用ばねの接触部分の摩耗を低減でき、スライドスイッチの長寿命化を実現することが可能となる。
【００１２】
本発明のスライドスイッチにおいては、前記一対の第１のばね収納部の一方に前記復帰用ばねを収納する一方、前記金属板に一対の片部をスライド移動方向に沿って間隔を有して設け、前記復帰用ばねに近い一方の前記片部で前記ばね駆動部を構成すると共に、当該片部と接離する突部を設けた板ばねを当該突部が前記切欠き部から突出するように前記第２のばね収納部に収納し、前記復帰用ばねに遠い他方の前記片部を前記板ばねの突部に接触しない位置で切断することが好ましい。この場合には、金属板に設けた一対の片部のうち、復帰用ばねに遠い片部を切断するだけで、ばね駆動部として機能する片部のみで、復帰用ばねの付勢力を受ける一方、板ばねの突部との接触によりスライド部材の位置決めをすることができる。これにより、金属板に設けた一対の片部の一方の切断という簡単な加工を行うだけで、一方側（例えば、右方側）の自動復帰機能、或いは、他方側（例えば、左方側）の自動復帰機能を有するスライドスイッチを実現することが可能となる。
【００１３】
特に、本発明のスライドスイッチにおいては、前記板ばねの突部を前記ばね駆動部としての前記片部と係脱可能とし、前記スライド部材は、当該片部が前記コイルばねの一端と前記板ばねの突部との間に配置された第１状態を基準として、一方向へスライド移動すると前記コイルばねが圧縮される第２状態となる一方、他方向へスライド移動すると前記片部が前記板ばねの突部と係脱して第３状態となり、前記片部の側端部が前記板ばねの突部と対向して前記第３状態に保持されることが好ましい。この場合には、一方向へスライド移動させた場合にスライド部材を自動復帰させる一方、他方向へスライド移動させた場合にクリック感触を生起させながら、スライド部材をロック（ホールド）状態に保持することができるスライドスイッチを提供することが可能となる。例えば、未使用状態の場合に第３状態（ロック（ホールド）状態）に保持することにより、不所望な操作を防止することができるスライドスイッチを提供することが可能となる。より具体的には、本スライドスイッチを電源スイッチに適用する場合に、誤って電源スイッチがオン状態とされる事態を防止でき、バッテリ等の消耗を回避することが可能となる。
【００１４】
また、本発明のスライドスイッチにおいては、前記一対の第１のばね収納部の両方に前記復帰用ばねを収納し、前記金属板に前記ばね駆動部を構成する一対の片部を設けることが好ましい。この場合には、ばね駆動部を構成する一対の片部をスライド部材に埋設される金属板に設け、一対の第１のばね収納部に収容された一対の復帰用ばねを駆動することから、ばね駆動部として機能する一対の片部で、一対の復帰用ばねの付勢力を受けると共にスライド部材の位置決めをすることができるので、双方向のスライド操作に対する自動復帰機能を有するスライドスイッチを実現することが可能となる。
【００１５】
さらに、本発明のスライドスイッチにおいては、前記固定接点を前記内底面に露出して形成すると共に、前記固定接点が露出する空間と前記第２のばね収納部との間に前記第１のばね収納部を配置すると共に、当該第１のばね収納部と前記固定接点が露出する空間との間に隔壁を設けることが好ましい。この場合には、固定接点が露出する空間と、第１、第２のばね収納部とが隔壁により仕切られていることから、第１のばね収納部に収納される復帰用ばねや、第２のばね収納部に収納される板ばね等に摩耗粉が発生した場合においても、これらの摩耗粉を固定接点に侵入し難くすることができ、実装されるスライドスイッチの動作の信頼性を高めることが可能となる。
【００１６】
さらに、本発明のスライドスイッチにおいて、前記金属板は、前記スライド部材のスライド移動方向に沿って当該スライド部材の一端から他端に亘って延設されることが好ましい。この場合には、金属板がスライド部材の一端から他端に亘って延設されているので、スライド部材が樹脂材料で形成され、小型化される場合においても、その強度を確保することが可能となる。
【００１７】
さらに、本発明のスライドスイッチにおいては、前記金属板の一部を、前記収納部を蓋閉するカバー部材と前記隔壁の端面との間に配置し、当該金属板の一部で前記スライド部材がスライド移動可能に案内されることが好ましい。この場合には、スライド部材のスライド移動の案内に利用される金属板の一部で隔壁とカバー部材との隙間を小さくすることができるので、スライド部材のスライド移動に伴って発生した摩耗粉を固定接点に対する可動接点の摺接部分に侵入し難くすることができ、より信頼性を高めることが可能となる。
【発明の効果】
【００１８】
本発明によれば、一対の第１のばね収納部及び第２のばね収納部に対して復帰用ばねや板ばねを選択的に収納することにより、一方向又は双方向のスライド操作に応じてスライド部材を復帰させるスライドスイッチや、スライド操作に伴うクリック感触を必要又は不要とするスライドスイッチに対応することができるので、成形金型の変更を必要とすることなく、安価に複数の仕様のスライドスイッチに対応することが可能となる。
【発明を実施するための最良の形態】
【００１９】
以下、本発明の一実施の形態について添付図面を参照して詳細に説明する。本発明に係る固定接点付きケースは、例えば、携帯ゲーム機などの電源のオン／オフを切り替えるためのスライドスイッチやデジタルカメラなどのモードやズーム倍率を切り替えるためのスライドスイッチ等に好適に利用されるものである。特に、本発明に係る固定接点付きケースは、一方向のスライド操作に対する自動復帰や、双方向のスライド操作に対する自動復帰を所望するスライドスイッチ、或いは、クリック感触を必要とするスライドスイッチや、クリック感触を必要としないスライドスイッチなど、複数の仕様のスライドスイッチに安価に対応するものである。
【００２０】
以下、本発明に係る固定接点付きケースが利用されるスライドスイッチのバリエーションについて説明する。まず、一方向のスライド操作に対する自動復帰機能を有すると共に、クリック感触を必要とするスライドスイッチについて説明し、次に、双方向のスライド操作に対する自動復帰機能を有する一方、クリック感触を必要としないスライドスイッチについて説明する。以下においては、説明の便宜上、前者を実施の形態１に係るスライドスイッチとして説明し、後者を実施の形態２に係るスライドスイッチとして説明するものとする。なお、以下に示すスライドスイッチの具体例は、一例を示すものであり、本発明に係る固定接点付きケースが利用されるスライドスイッチの仕様はこれに限定されるものではない。
【００２１】
（実施の形態１）
まず、一方向のスライド操作に対する自動復帰機能を有すると共に、クリック感触を必要とするスライドスイッチ１について説明する。図１は、本発明の固定接点付きケース（以下、単に「ケース」という）２が利用される実施の形態１に係るスライドスイッチ１の分解斜視図である。図２及び図３は、実施の形態１に係るスライドスイッチ１の外観を示す斜視図である。図４は、実施の形態１に係るスライドスイッチ１が有するケース２の上面図（平面図）である。なお、図２においては、後述するスライド部材５の操作部５２の反対側から見た斜視図を示し、図３においては、スライド部材５の操作部５２側から見た斜視図を示している。また、以下においては、説明の便宜上、図１に示す右下方側をスライドスイッチ１の右方側と呼び、同図に示す左上方側をスライドスイッチ１の左方側と呼ぶものとする。
【００２２】
図１に示すように、本実施の形態に係るスライドスイッチ１は、スイッチ本体の底面及び側面を構成するケース２と、このケース２の所定位置に収納されるコイルばね３、板ばね４及びスライド部材５と、これらの部材を収納した状態のケース２に被せられ、スイッチ本体の上面を構成するカバー部材６とを備えて構成されている。
【００２３】
ケース２は、例えば、絶縁性の樹脂材料で成形され、概して扁平な直方体形状を有している。ケース２には、上方側に開口した収納部が設けられている。この収納部は、特に図４に示すように、ケース２の内底面にケース２の長手方向に沿って立設された隔壁２１により区画された第１収納部２２及び第２収納部２３で構成されている。また、第２収納部２３は、ケース２の内底面にケース２の長手方向に沿って立設された仕切り壁２４により仕切られた第１のばね収納部（以下、「第１ばね収納部」という）２５及び第２のばね収納部（以下、「第２ばね収納部」という）２６で構成されている。第１収納部２２には、その一部を側方側に突出した状態でスライド部材５が収納される。第２収納部２３の第１ばね収納部２５には、コイルばね３が収納され、第２ばね収納部２６には、板ばね４が収納される。
【００２４】
上述した仕切り壁２４の中央には切欠き部２４ａが形成されており、仕切り壁２４は、ケース２の長手方向に沿って２つに分割されている。なお、この切欠き部２４ａは、後述する板ばね４の係合突部４１の一部を、第１ばね収納部２５に収納されたコイルばね３の圧縮方向の延長線上の位置へ突出させるために設けられている。第１ばね収納部２５は、このように分割されている仕切り壁２４に対応して、スライド部材５のスライド方向（ケース２の長手方向）に沿って設けられた一対のばね収納部で構成されている。ここでは、スライドスイッチ１の右方側の第１ばね収納部２５にのみコイルばね３を収納する場合について説明するが、スライドスイッチ１の仕様に応じて左方側の第１ばね収納部２５にのみコイルばね３を収納するようにしても良い。
【００２５】
第１収納部２２の内底面には、スライド移動検出手段の一部を構成する複数の固定接点２７がその一部を露出するように埋設されている（図４参照）。これらの固定接点２７は、スライド部材５のスライド方向に沿って所定間隔を有して配置されており、後述するスライド部材５に設けられた可動接点７と摺接することでスライド部材５のスライド移動を検出可能に構成されている。
【００２６】
ここで、ケース２に埋設される固定接点２７の構成について説明する。図５は、実施の形態１に係るスライドスイッチ１が有するケース２に埋設される固定接点２７の上面図である。図５に示すように、固定接点２７は、同図に示す中央近傍に配置された共通固定接点２７ａと、この共通固定接点２７ａの右方側に配置される中央固定接点２７ｂと、この中央固定接点２７ｂの右方側に配置される右方側固定接点２７ｃと、共通固定接点２７ａの左方側に配置される左方側固定接点２７ｄとを有している。これらの固定接点２７は、ケース２の内底面の内部を引き回されると共に、その一端がケース２の長辺を構成する側壁２ａ（図１に示す手前側の側壁）の中央近傍から導出され、スライド部材５のスライド移動状態に応じた信号を外部出力できるように構成されている。
【００２７】
第１収納部２２は、このように固定接点２７が埋設された内底面と、隔壁２１の一面と、内底面の側端部から上方側に立設された側壁２ｂ（図１に示す奥側の側壁）の内壁面と、ケース２の短辺を構成する一対の側壁２ｃ、２ｄの内壁面とで形成される空間で構成されている。なお、この第１収納部２２は、固定接点２７が露出する空間を構成する。側壁２ｂの中央近傍には、後述するスライド部材５の操作部５２をスライド移動可能に露出させる開口部２ｅが設けられている。このように側壁２ｂに開口部２ｅを設けることにより、第１収納部２２の内底面に形成された固定接点２７と、操作部５２を露出させる開口部２ｅとが対向して配置される位置関係となるのを防止できるので、この開口部２ｅから異物を侵入し難くすることができ、スライドスイッチ１の動作の信頼性を高めることが可能となっている。また、一対の側壁２ｃ、２ｄにおける第１収納部２２に対応する外壁面には、後述するカバー部材６の脚部６２を収容する溝部２ｆ、２ｇが設けられている。
【００２８】
第２収納部２３の一対の第１ばね収納部２５は、隔壁２１を挟んで第１収納部２２の反対側の位置に設けられ、それぞれケース２の内底面と、隔壁２１の一面と、側壁２ｃ、２ｄの内壁面と、仕切り壁２４の一面とで形成される空間で構成されている。仕切り壁２４における切欠き部２４ａ側の端部には、僅かに隔壁２１側に屈曲した屈曲部２４ｂ、２４ｃが設けられ、これらに対応する隔壁２１の位置に設けられた突出片２１ａ、２１ｂと共にコイルばね３の内側一端を係止するように構成されている。なお、これらの屈曲部２４ｂ、２４ｃと、突出片２１ａ、２１ｂとの間には、後述するスライド部材５の係合片５３ａが通過できる隙間２４ｄ、２４ｅが設けられている。
【００２９】
第２収納部２３の第２ばね収納部２６は、仕切り壁２４を挟んで第１ばね収納部２５の反対側の位置に設けられ、ケース２の内底面と、内底面の側端部から上方側に立設された側壁２ａの内壁面と、側壁２ｃ、２ｄの内壁面と、仕切り壁２４の一面とで形成される空間で構成されている。側壁２ａの中央には、上方側に開口し、後述するカバー部材６の突出壁６４を収容する開口部２ｈが設けられている。また、この開口部２ｈの外側に配置された側壁２ａの外壁面には、後述するカバー部材６の係合腕部６３と係合する一対の係合片２ｉ、２ｊが設けられている。これらの係合片２ｉ、２ｊは、側壁２ｂにも設けられている（図１に不図示、図３参照）。なお、これらの係合片２ｉ、２ｊの表面には、テーパが設けられており、簡単にケース２に対してカバー部材６を取り付けられるように構成されている。また、側壁２ａの内壁面には、スライド部材５のスライド移動に伴って板ばね４が変形する領域を確保するために開口部２ｈに向かって傾斜面２ｋが設けられている。
【００３０】
コイルばね３は、復帰用ばねとして機能するものであり、金属線材から構成され、スライドスイッチ１の右方側の第１ばね収納部２５に収納される。コイルばね３は、第１ばね収納部２５内において、上述のように内側の一端が屈曲部２４ｃ及び突出片２１ｂで係止される一方、他端が側壁２ｄの内壁面で係止された状態となっている。詳細について後述するように、コイルばね３は、スライド部材５のスライド移動に伴って弾性変形してスライド部材５をスライド操作前の状態に自動復帰させる役割を果たす。
【００３１】
板ばね４は、長尺形状を有する金属製の板状部材を折り曲げることで形成されている。板ばね４の中央には、第２ばね収納部２６に収納された状態で隔壁２１側に突出するように係合突部４１が設けられている。この係合突部４１は、後述するスライド部材５の係合片５３ａと係脱してクリック感触（節度感触）を生起させるクリック機構の一部として機能する。板ばね４は、その板面がケース２の内底面と交差するように第２ばね収納部２６に収納されており、特に、係合突部４１が仕切り壁２４の切欠き部２４ａからコイルばね３の圧縮方向の延長線上の位置へ突出するように配置されている。このため、ケース２においては、コイルばね３と係合突部４１とがオーバーラップして配設できるものとなっている。
【００３２】
スライド部材５は、例えば、絶縁性の樹脂材料で成形され、ケース２の長手方向に延在する本体部５１と、この本体部５１の中央部からスライド部材５のスライド方向と直交する方向に突出する操作部５２とを有している。本体部５１の上面には、金属製の板状部材５３が埋め込まれている。この板状部材５３には、その中央よりも僅かに右方側の位置に、板ばね４の係合突部４１と係合する片部として機能する係合片５３ａが設けられている。係合片５３ａは、スライド部材５が第１収納部２２に収納された状態において、コイルばね３側に突出すると共に、その先端部を下方側に折り曲げて構成されている。この係合片５３ａは、スライド部材５のスライド移動に伴ってコイルばね３を圧縮するばね駆動部として機能する一方、板ばね４の係合突部４１と係脱してクリック感触（節度感触）を生起させるクリック機構の一部として機能する。このように金属製の板状部材５３の一部で構成される係合片５３ａで金属製のコイルばね３を駆動していることから、スライド操作に伴うスライド部材５及びコイルばね３の接触部分の摩耗を低減でき、スライドスイッチ１の長寿命化を実現することが可能となる。
【００３３】
また、スライド部材５の本体部５１の下面には、導電性を有する板状の金属材料で形成された可動接点７が取り付けられる。したがって、可動接点７は、本体部５１を介して板状部材５３と対向配置されるものとなる。可動接点７は、スライド移動検出手段の一部を構成するものであり、スライド部材５に固定される固定部７１と、この固定部７１からスライド部材５のスライド方向に延出する一対の腕部７２ａ、７２ｂとを有している。これらの腕部７２ａ、７２ｂは、弾性を有する摺動子を構成し、その先端部が僅かに下方側に延出するように設けられている。可動接点７は、固定部７１でスライド部材５に固定され、スライド部材５と一体的にスライド移動可能に構成されている。そして、スライド部材５がスライド移動すると、腕部７２ａ、７２ｂの先端がケース２の固定接点２７に摺接するように構成されている。
【００３４】
ここで、スライド部材５の構成について説明する。図６及び図７は、実施の形態１に係るスライドスイッチ１が有するスライド部材５の構成を説明するための斜視図である。図６においては、スライド部材５を上方側から見た斜視図を示し、説明の便宜上、板状部材５３が埋め込まれる前の状態について示している。図７においては、スライド部材５を下方側から見た斜視図を示し、説明の便宜上、可動接点７を取り付ける前の状態について示している。
【００３５】
図６に示すように、スライド部材５に埋め込まれる板状部材５３は、スライド部材５の本体部５１の一端から他端に亘って延在する固定部５３ｂと、この固定部５３ｂから操作部５２側に突出する突出部５３ｃとから構成されている。固定部５３ｂ及び突出部５３ｃの所定位置には、スライド部材５への確実な埋設を確保するための複数の固定片５３ｄが下方側に延出して設けられている。板状部材５３は、その上面と操作部５２の上面とが同一平面上に配置されるように、スライド部材５の成形時に本体部５１の上面に重ねるようにして埋め込まれる。
【００３６】
このように本実施の形態に係るスライドスイッチ１においては、板状部材５３をスライド部材５のスライド移動方向に沿ってその一端から他端に亘って延設することにより、樹脂材料で構成されるスライド部材５の強度を確保している。特に、このように板状部材５３を埋め込むことにより、スライド部材５が小型化される場合においても、その強度を確保でき、その動作の信頼性を高めることが可能となっている。
【００３７】
スライド部材５の本体部５１に埋め込まれた状態において、固定部５３ｂは、図７に示すように、スライド部材５の本体部５１よりも僅かに操作部５２の反対側に延出する延出部５３ｅを有している。この延出部５３ｅの下面には、スライドスイッチ１が組み立てられた状態において、隔壁２１の上端面が当接可能に対向するものとなっている。また、板状部材５３の固定部５３ｂの端部近傍、すなわち、延出部５３ｅの上面には、一対の突出片５３ｆが設けられている。これらの突出片５３ｆは、スライドスイッチ１が組み立てられた状態において、隔壁２１の上端面の上方に位置して配設されると共に、カバー部材６の下面と当接可能に対向するものとなっている。
【００３８】
また、スライド部材５の下面には、可動接点７が収容される凹部５４がスライド部材５のスライド方向に沿って設けられている。この凹部５４の中央には、可動接点７の固定部７１が固定される円柱形状の突起からなる突出片５４ａが設けられている。そして、固定部７１に形成された孔に突出片５４ａが挿通された状態で、この突出片５４ａの先端をかしめることにより、可動接点７がスライド部材５に取り付けられる。凹部５４を構成する一方の側壁５４ｂ（操作部５２側の側壁）は、突出片５４ａよりも下方側まで延出し、スライド部材５が第１収納部２２に収納された状態において、その内底面に当接可能に対向するように構成されている。
【００３９】
本実施の形態に係るスライドスイッチ１が組み立てられた状態において、スライド部材５は、側壁５４ｂの下端部で第１収納部２２の内底面に接触すると共に、板状部材５３の延出部５３ｅの下面で隔壁２１の上端部と接触し、板状部材５３の一対の突出片５３ｆでカバー部材６の下面に接触するように構成されている。スライド操作が行われると、スライド部材５は、これらの３つの接触点で案内されながらスライド移動するように構成されている。
【００４０】
特に、本実施の形態に係るスライドスイッチ１においては、隔壁２１の上端部と、カバー部材６の下面との間に板状部材５３の延出部５３ｅが配置されるように構成されている。これにより、延出部５３ｅで隔壁２１とカバー部材６との間に形成される案内部としての隙間を小さくすることができるので、スライド部材５のスライド移動に伴って発生した摩耗粉を第１収納部２２に侵入し難くすることができ、信頼性に優れたスライドスイッチ１の動作を実現している。また、延出部５３ｅが隔壁２１の上端面と当接可能になっていることで、可動接点７の腕部７２ａ、７２ｂが過度に変形するのを防止して、適切な接点荷重が得られるようになっている。なお、スライド部材５の側壁５４ｂも同様の機能を果たすものとなっている。
【００４１】
ところで、上述したようなスライド部材５は、一対の係合片５３ａを有する板状部材５３を埋め込んでおき、スライドスイッチ１の仕様に応じて一方の係合片５３ａを切断することで製造される。図８は、一方の係合片５３ａを切断する前の板状部材５３が埋め込まれたスライド部材５の斜視図である。図８に示すように、一方の係合片５３ａが切断される前においては、スライド方向に沿って所定の間隔を空けて、板状部材５３の固定部５３ｂに一対の係合片５３ａが設けられている。本実施の形態に係るスライドスイッチ１においては、右方側の第１ばね収納部２５にコイルばね３を収納し、右方側へスライド移動させたスライド部材５を操作前の状態に自動復帰させる構成を採るため、図８に示す左方側の係合片５３ａが切断されている。仮に、左方側の第１ばね収納部２５にコイルばね３を収納し、左方側へスライド移動させたスライド部材５を操作前の状態に自動復帰させる構成を採る場合には、右方側の係合片５３ａを切断することでこのようなスライドスイッチ１に対応することができるものとなっている。
【００４２】
カバー部材６は、金属製の板状部材に打ち抜き加工及び折り曲げ加工を施すことで形成され、概して長方形状を有している。カバー部材６は、平板形状を有する上面部６１と、カバー部材６の短辺を構成する上面部６１の側面から下方側に垂下して設けられた一対の脚部６２と、カバー部材６の長辺を構成する上面部６１の側面から下方側に垂下して設けられた二対の係合腕部６３とを有している。脚部６２は、ケース２の溝部２ｆ、２ｇに収容される位置に設けられており、その下端部近傍で外側に折り曲げられている。係合腕部６３は、下端部近傍でそれぞれ内側に屈曲し、概してＬ字形状（逆Ｌ字形状）を有している。また、カバー部材６の一方の長辺を構成する上面部６１の側面には、その中央部近傍から下方側に垂下する突出壁６４が設けられている。この突出壁６４は、ケース２の側壁２ａに設けられた開口部２ｈに収容され、側壁２ａから埃などが侵入するのを防止する役割を果たす。
【００４３】
このような構成を有するスライドスイッチ１を組み立てると、図２及び図３に示すように、操作部５２を外部に突出させた状態でスライド部材５がケース２内に収納され、その上方側からカバー部材６がケース２に取り付けられる。この場合において、カバー部材６は、図２及び図３に示すように、脚部６２がケース２の溝部２ｆ、２ｇに収容されると共に、突出壁６４がケース２の開口部２ｈに収容された状態で、係合腕部６３がケース２の係合片２ｉ、２ｊの下方側に入り込むことでケース２に固定される。なお、ケース２の側壁２ａ、２ｂに設けられた係合片２ｉ、２ｊの表面にはテーパが設けられているので、上方側からカバー部材６を押し込むだけで簡単に係合腕部６３を係合片２ｉ、２ｊの下方側に入り込ませることができるものとなっている。脚部６２の下端部は、ケース２の側面から外側に突出した状態となっており、スライドスイッチ１が取り付けられる対象装置に半田付け等が可能となっている。
【００４４】
ここで、このように組み立てられたスライドスイッチ１の内部の構成について説明する。図９及び図１０は、実施の形態１に係るスライドスイッチ１の斜視図及び上面図である。なお、図９及び図１０においては、説明の便宜上、スライドスイッチ１からカバー部材６を取り外した状態について示している。また、図９及び図１０においては、スライド部材５の初期状態、すなわち、スライド操作が行われていない状態について示している。
【００４５】
図９及び図１０に示すように、スライド部材５は、ケース２の側壁２ｂに設けられた開口部２ｅから操作部５２を突出させた状態で本体部５１がケース２の第１収納部２２に収納されている。この場合、板状部材５３の延出部５３ｅが隔壁２１の上端部に載置されて状態となっており、係合片５３ａが第２収納部２３側に突出した状態となっている。コイルばね３は、第２収納部２３の右方側の第１ばね収納部２５に収納され、板ばね４は、第２収納部２３の第２ばね収納部２６に収納されている。この場合、板ばね４は、係合突部４１を仕切り壁２４の切欠き部２４ａを介して隔壁２１側に突出した状態で収納されており、係合突部４１の一部がコイルばね３の圧縮方向の延長線上の位置に配置されている。
【００４６】
このように本実施の形態に係るスライドスイッチ１においては、ケース２の第２収納部２３の第２ばね収納部２６に、コイルばね３の圧縮方向における延長線上に板ばね４の係合突部４１の一部を突出させるように板ばね４を配置している。このため、コイルばね３と板ばね４の係合突部４１とをオーバーラップするように配置されることから、スライド部材５のスライド方向と直交する方向のケース２の寸法を低減することができるので、当該方向の寸法を小型化したスライドスイッチ１を提供することが可能となる。
【００４７】
図９及び図１０に示すスライド部材５の初期状態においては、係合片５３ａは、係合突部４１及びコイルばね３によって挟持され、仕切り壁２４の屈曲部２４ｃと隔壁２１の突出片２１ｂとの間の隙間２４ｅに配置された状態となっている。このように係合片５３ａを係合突部４１及びコイルばね３によって挟持していることから、初期状態においてスライド部材５がガタつくことが防止されている。なお、初期状態において、スライド部材５に固定された可動接点７の腕部７２ａ、７２ｂは、それぞれ共通固定接点２７ａ、中央固定接点２７ｂに接触した状態となっている。
【００４８】
このように本実施の形態に係るスライドスイッチ１においては、第１収納部２２にスライド移動検出手段を構成する固定接点２７及び可動接点７を収納する一方、第２収納部２３にコイルばね３及び板ばね４を収納している。これにより、スライド移動検出手段とコイルばね３及び板ばね４とが、それぞれ隔壁２１により仕切られた第１収納部２２と第２収納部２３とに収納されることから、スライド部材５のスライド移動に伴ってスライド部材５の係合片５３ａ又は板ばね４の係合突部４１等から摩耗粉が発生した場合においても、当該摩耗粉がスライド移動検出手段側に侵入する事態を防止できるので、信頼性に優れたスライドスイッチ１を実現することが可能となっている。
【００４９】
このように組み立てられた状態において、スライド部材５は、初期状態への自動復帰を可能としつつ、スライドスイッチ１の右方側にスライド移動可能に構成されている。また、スライド部材５は、クリック感触（節度感触）を付与しながらスライドスイッチ１の左方側にスライド移動可能に構成されると共に、左方側にスライド移動させた状態で保持可能に構成されている。このため、例えば、初期状態を基準として、スライド部材５をスライドスイッチ１の右方側にスライド移動させた状態で電源のオン／オフを切り替えると共に、スライドスイッチ１の左方側にスライド移動させた状態で電源状態の切り替えをロック（ホールド）状態とするような電源スイッチに好適に利用することができる。
【００５０】
以下、本実施の形態に係るスライドスイッチ１の動作について説明する。図１１及び図１２は、実施の形態１に係るスライドスイッチ１が有するスライド部材５を初期状態から右方側にスライド操作した場合の斜視図及び上面図である。また、図１３及び図１４は、実施の形態１に係るスライドスイッチ１が有するスライド部材５を初期状態から左方側にスライド操作した場合の斜視図及び上面図である。なお、図１１〜図１４においては、説明の便宜上、スライドスイッチ１からカバー部材６を取り外した状態について示している。
【００５１】
図９及び図１０に示す初期状態から右方側にスライド部材５がスライド操作されると、スライド部材５の係合片５３ａは、コイルばね３の付勢力に抗してコイルばね３を圧縮しながら右方側に移動する。そして、スライド部材５をスライド移動可能な限界位置までスライド移動させると、スライド部材５が図１１及び図１２に示すように、スライド部材５が第１収納部２２の最右方側の位置まで移動し、操作部５２が開口部２ｅの右方側端部近傍の側壁２ｂに当接した状態となる。この場合、スライド部材５に固定された可動接点７の腕部７２ａ、７２ｂは、それぞれ共通固定接点２７ａ、右方側固定接点２７ｃに接触した状態となっている。すなわち、初期状態から可動接点７の腕部７２ａ、７２ｂが接触する固定接点２７が切り替わるので、スライド部材５の右方側への移動を検出できるものとなっている。
【００５２】
なお、図１１及び図１２に示す状態から、操作者がスライド操作を行う手を解放すると、コイルばね３の付勢力に応じて係合片５３ａが左方側に押し戻され、スライド部材５が左方側にスライド移動する。そして、係合片５３ａの左方側端部が板ばね４の係合突部４１に到達すると、係合突部４１とコイルばね３との間で挟持された状態とされ、初期状態（図９及び図１０に示す状態）に復帰（自動復帰）することとなる。
【００５３】
一方、図９及び図１０に示す初期状態から左方側にスライド部材５がスライド操作されると、スライド部材５の係合片５３ａは、板ばね４の係合突部４１に当接し、板ばね４の付勢力に抗して係合突部４１を側壁２ａ側に退避させながら左方側に移動する。そして、係合片５３ａが係合突部４１の頂部を乗り越えると、板ばね４の付勢力に応じて係合突部４１が初期状態の位置まで復帰してスライド部材５が図１３及び図１４に示す状態となる。スライドスイッチ１においては、スライド部材５の左方側へのスライド動作に伴う板ばね４の復帰動作の際にクリック感触（節度感触）が生起されるものとなっている。この場合、スライド部材５は、開口部２ｅの左方側端部近傍の側壁２ｂにより左方側への移動が規制された状態となっている。すなわち、スライド部材５は、板ばね４の付勢力により開口部２ｅの左方側端部近傍の側壁２ｂに押し付けられた状態において位置決めされている。より具体的には、係合片５３ａの側端部が板ばね４の係合突部４１に弾接状態で当接することにより、スライド部材５が第１収納部２２の左方側に保持されるものとする。このとき、スライド部材５に固定された可動接点７の腕部７２ａ、７２ｂは、それぞれ左方側固定接点２７ｄ、共通固定接点２７ａに接触した状態となっている。すなわち、初期状態から可動接点７の腕部７２ａ、７２ｂが接触する固定接点２７が切り替わるので、スライド部材５の左方側への移動及び保持状態を検出できるものとなっている。
【００５４】
同様に、図１３及び図１４に示す状態から右方側にスライド部材５がスライド操作される場合には、スライド部材５の係合片５３ａは、板ばね４の付勢力に抗して係合突部４１を側壁２ａ側に退避させながら右方側に移動する。そして、係合片５３ａが係合突部４１の頂部を乗り越えると、板ばね４の付勢力に応じて係合突部４１が初期状態の位置まで復帰してスライド部材５が図９及び図１０に示す初期状態となる。この板ばね４の初期状態の位置への復帰動作の際にも、クリック感触（節度感触）が生起されるものとなっている。この場合、スライド部材５の係合片５３ａは、係合突部４１とコイルばね３との間で挟持された状態とされ、スライド部材５が初期状態に復帰することとなる。このとき、スライド部材５に固定された可動接点７の腕部７２ａ、７２ｂは、それぞれ共通固定接点２７ａ、中央固定接点２７ｂに接触した状態となっている。すなわち、左方側に移動した状態から可動接点７の腕部７２ａ、７２ｂが接触する固定接点２７が切り替わるので、スライド部材５の初期状態への復帰を検出できるものとなっている。
【００５５】
このように本実施の形態に係るスライドスイッチ１によれば、スライド部材５に埋設される板状部材５３に設けた一対の係合片５３ａのうち、コイルばね３に遠い係合片５３ａを切断するだけで、ばね駆動部として機能する係合片５３ａのみで、コイルばね３の付勢力を受ける一方、板ばね４の係合突部４１との接触によりスライド部材５の位置決めをすることができる。これにより、板状部材５３に設けた一対の係合片５３ａの一方の切断という簡単な加工を行うだけで、一方側（例えば、右方側）の自動復帰機能、或いは、他方側（例えば、左方側）の自動復帰機能を有するスライドスイッチ１を実現することが可能となる。
【００５６】
特に、本実施の形態に係るスライドスイッチ１においては、右方側へスライド移動させた場合にスライド部材５を自動復帰させる一方、左方側へスライド移動させた場合にクリック感触を生起させながら、スライド部材をロック（ホールド）状態に保持するようにしていることから、例えば、未使用状態の場合にスライド部材５を左方側にスライド移動させて保持状態に移行させることにより、不所望な操作を防止することができるスライドスイッチ１を提供することが可能となる。より具体的には、スライドスイッチ１を電源スイッチに適用する場合に、誤って電源スイッチがオン状態とされる事態を防止でき、バッテリ等の消耗を回避することが可能となる。
【００５７】
（実施の形態２）
次に、双方向のスライド操作に対する自動復帰機能を有する一方、クリック感触を必要としないスライドスイッチ１０について説明する。図１５は、本発明のケース２が利用される実施の形態２に係るスライドスイッチ１０の分解斜視図である。なお、以下において、実施の形態１に係るスライドスイッチ１と共通する構成要素については同一の符号を付与し、その説明を省略する。また、以下においては、説明の便宜上、図１５に示す右下方側をスライドスイッチ１０の右方側と呼び、同図に示す左上方側をスライドスイッチ１０の左方側と呼ぶものとする。
【００５８】
図１６及び図１７は、実施の形態２に係るスライドスイッチ１０の斜視図及び上面図である。なお、図１６及び図１７においては、説明の便宜上、スライドスイッチ１０からカバー部材６を取り外した状態について示している。また、図１６及び図１７においては、スライド部材５の初期状態、すなわち、スライド操作が行われていない状態について示している。なお、実施の形態２に係るスライドスイッチ１０の外観については、図２及び図３と共通するため、その説明を省略する。
【００５９】
図１５に示すように、実施の形態２に係るスライドスイッチ１０においては、スライド部材５の本体部５１に埋め込まれる板状部材５３に一対の係合片５３ａが設けられている点、第２収納部２３の一対の第１ばね収納部２５の双方にコイルばね３が収納される点、並びに、第２収納部２３の第２ばね収納部２６に板ばね４が収納されていない点で実施の形態１に係るスライドスイッチ１と相違する。
【００６０】
なお、実施の形態２に係るスライドスイッチ１０が有するスライド部材５は、実施の形態１に係るスライドスイッチ１が有するスライド部材５を製造する前の形態、つまり、一方の係合片５３ａを切断する前の形態を有している。すなわち、実施の形態１に係るスライドスイッチ１と、実施の形態２に係るスライドスイッチ１０においては、係合片５３ａを切断するだけで共通するスライド部材５を利用することができるものとなっている。
【００６１】
このような構成を有する実施の形態２に係るスライドスイッチ１０を組み立てると、その内部の構成は図１６及び図１７に示すようになる。スライド部材５は、図１６及び図１７に示すように、ケース２の側壁２ｂに設けられた開口部２ｅから操作部５２を突出させた状態で本体部５１がケース２の第１収納部２２に収納されている。この場合、板状部材５３の延出部５３ｅが隔壁２１の上端部に載置された状態となっており、一対の係合片５３ａが第２収納部２３側に突出した状態となっている。ここで、隔壁２１の上端部とカバー部材６の上面部６１の下面との間には、実施の形態１と同様に、延出部５３ｅを構成する金属板を通すだけの僅かな隙間が形成されている。そして、この隙間に板状部材５３の延出部５３ｅが案内されることで、スライド部材５がスライド移動可能となっている。なお、スライド部材５のスライド移動をより円滑にするために、延出部５３ｅには、隔壁２１の上端部に対応する位置に複数の突出片５３ｆが形成されている。一対のコイルばね３は、第２収納部２３の双方の第１ばね収納部２５に収納されている。なお、板ばね４は、第２収納部２３の第２ばね収納部２６に収納されていない。
【００６２】
スライド部材５が有する一対の係合片５３ａは、これらの外側からコイルばね３により挟持された状態となっている。図１６及び図１７に示すスライド部材５の初期状態においては、左方側の係合片５３ａが仕切り壁２４の屈曲部２４ｂと隔壁２１の突出片２１ａとの間の隙間２４ｄに配置され、右方側の係合片５３ａが仕切り壁２４の屈曲部２４ｃと隔壁２１の突出片２１ｂとの間の隙間２４ｅに配置された状態となっている。このように一対の係合片５３ａを一対のコイルばね３によって挟持していることから、初期状態においてスライド部材５がガタつくことが防止されている。なお、初期状態において、スライド部材５に固定された可動接点７の腕部７２ａ、７２ｂは、それぞれ共通固定接点２７ａ、中央固定接点２７ｂに接触した状態となっている。
【００６３】
このように組み立てられた状態において、スライド部材５は、初期状態への自動復帰を可能としつつ、スライドスイッチ１０の左右方向の双方にスライド移動可能に構成されている。このため、例えば、初期状態を基準として、スライド部材５をスライドスイッチ１０の右方側にスライド移動させた状態で第１のモードに切り替える一方、スライドスイッチ１０の左方側にスライド移動させた状態で第２のモードに切り替えるようなモード切替スイッチに好適に利用することができる。
【００６４】
以下、本実施の形態に係るスライドスイッチ１０の動作について説明する。図１８及び図１９は、実施の形態２に係るスライドスイッチ１０が有するスライド部材５を初期状態から左方側にスライド操作した場合の斜視図及び上面図である。また、図２０及び図２１は、実施の形態２に係るスライドスイッチ１０が有するスライド部材５を初期状態から右方側にスライド操作した場合の斜視図及び上面図である。なお、図１８〜図２１においては、説明の便宜上、スライドスイッチ１０からカバー部材６を取り外した状態について示している。
【００６５】
図１６及び図１７に示す初期状態から左方側にスライド部材５がスライド操作されると、スライド部材５の左方側の係合片５３ａは、左方側のコイルばね３の付勢力に抗してこのコイルばね３を圧縮しながら左方側に移動する。そして、スライド部材５をスライド移動可能な限界位置までスライド移動させると、図１８及び図１９に示すように、スライド部材５が第１収納部２２の最左方側の位置まで移動し、操作部５２が開口部２ｅの左方側端部近傍の側壁２ｂに当接した状態となる。この場合、スライド部材５に固定された可動接点７の腕部７２ａ、７２ｂは、それぞれ左方側固定接点２７ｄ、共通固定接点２７ａに接触した状態となっている。すなわち、初期状態から可動接点７の腕部７２ａ、７２ｂが接触する固定接点２７が切り替わるので、スライド部材５の左方側への移動を検出できるものとなっている。
【００６６】
なお、図１８及び図１９に示す状態から、操作者がスライド操作を行う手を解放すると、左方側のコイルばね３の付勢力に応じて左方側の係合片５３ａが右方側に押し戻され、スライド部材５が右方側にスライド移動する。そして、右方側の係合片５３ａの右方側端部が右方側のコイルばね３に到達すると、再び左右のコイルばね３で一対の係合片５３ａが挟持された状態とされ、初期状態（図１６及び図１７に示す状態）に復帰（自動復帰）することとなる。
【００６７】
一方、図１６及び図１７に示す初期状態から右方側にスライド部材５がスライド操作されると、スライド部材５の右方側の係合片５３ａは、右方側のコイルばね３の付勢力に抗してこのコイルばね３を圧縮しながら右方側に移動する。そして、スライド部材５をスライド移動可能な限界位置までスライド移動させると、図２０及び図２１に示すように、スライド部材５が第１収納部２２の最右方側の位置まで移動し、操作部５２が開口部２ｅの右方側端部近傍の側壁２ｂに当接した状態となる。この場合、スライド部材５に固定された可動接点７の腕部７２ａ、７２ｂは、それぞれ共通固定接点２７ａ、右方側固定接点２７ｃに接触した状態となっている。すなわち、初期状態から可動接点７の腕部７２ａ、７２ｂが接触する固定接点２７が切り替わるので、スライド部材５の右方側への移動を検出できるものとなっている。
【００６８】
なお、図２０及び図２１に示す状態から、操作者がスライド操作を行う手を解放すると、右方側のコイルばね３の付勢力に応じて右方側の係合片５３ａが左方側に押し戻され、スライド部材５が左方側にスライド移動する。そして、左方側の係合片５３ａの左方側端部が左方側のコイルばね３に到達すると、再び左右のコイルばね３で一対の係合片５３ａが挟持された状態とされ、初期状態（図１６及び図１７に示す状態）に復帰（自動復帰）することとなる。
【００６９】
このように本実施の形態に係るスライドスイッチ１０においては、ばね駆動部を構成する一対の係合片５３ａをスライド部材５に埋設される板状部材５３に設け、一対の第１ばね収納部２５に収容された一対のコイルばね３を駆動することから、一対の係合片５３ａにより一対のコイルばね３の付勢力を受けると共にスライド部材５の位置決めをすることができるので、双方向のスライド操作に対する自動復帰機能を有するスライドスイッチ１を実現することが可能となる。
【００７０】
以上説明したように、実施の形態１、２に係るスライドスイッチ１、１０に適用されるケース２においては、スライド部材５のスライド方向に沿って設けられ、スライド部材５を操作前の状態に復帰させるためのコイルばね３を収納可能な一対の第１ばね収納部２５と、スライド部材５の係合片５３ａと係脱してクリック感触を生起させるための板ばね４を収納可能な第２ばね収納部２６とを備えることから、一対の第１ばね収納部２５及び第２ばね収納部２６に対してコイルばね３や板ばね４を選択的に収納することにより、一方向又は双方向のスライド操作に応じてスライド部材を自動復帰させるスライドスイッチや、スライド操作に伴うクリック感触を必要又は不要とするスライドスイッチに対応することができるので、成形金型の変更を必要とすることなく、安価に複数の仕様のスライドスイッチに対応することが可能となる。
【００７１】
なお、本発明は上記実施の形態に限定されず、種々変更して実施することが可能である。上記実施の形態において、添付図面に図示されている大きさや形状などについては、これに限定されず、本発明の効果を発揮する範囲内で適宜変更することが可能である。その他、本発明の目的の範囲を逸脱しない限りにおいて適宜変更して実施することが可能である。
【図面の簡単な説明】
【００７２】
【図１】本発明のケースが利用される実施の形態１に係るスライドスイッチの分解斜視図である。
【図２】実施の形態１に係るスライドスイッチの外観を示す斜視図である。
【図３】実施の形態１に係るスライドスイッチの外観を示す斜視図である。
【図４】実施の形態１に係るスライドスイッチが有するケースの上面図である。
【図５】実施の形態１に係るスライドスイッチが有するケースに埋設される固定接点の上面図である。
【図６】実施の形態１に係るスライドスイッチが有するスライド部材の構成を説明するための斜視図である。
【図７】実施の形態１に係るスライドスイッチが有するスライド部材の構成を説明するための斜視図である。
【図８】実施の形態１に係るスライドスイッチが有する、係合片を切断する前の板状部材が埋め込まれたスライド部材の斜視図である。
【図９】実施の形態１に係るスライドスイッチの斜視図である。
【図１０】実施の形態１に係るスライドスイッチの上面図である。
【図１１】実施の形態１に係るスライドスイッチが有するスライド部材を初期状態から右方側にスライド操作した場合の斜視図である。
【図１２】実施の形態１に係るスライドスイッチが有するスライド部材を初期状態から右方側にスライド操作した場合の上面図である。
【図１３】実施の形態１に係るスライドスイッチが有するスライド部材を初期状態から左方側にスライド操作した場合の斜視図である。
【図１４】実施の形態１に係るスライドスイッチが有するスライド部材を初期状態から左方側にスライド操作した場合の上面図である。
【図１５】本発明のケースが利用される実施の形態２に係るスライドスイッチの分解斜視図である。
【図１６】実施の形態２に係るスライドスイッチの斜視図である。
【図１７】実施の形態２に係るスライドスイッチの上面図である。
【図１８】実施の形態２に係るスライドスイッチが有するスライド部材を初期状態から左方側にスライド操作した場合の斜視図である。
【図１９】実施の形態２に係るスライドスイッチが有するスライド部材を初期状態から左方側にスライド操作した場合の上面図である。
【図２０】実施の形態２に係るスライドスイッチが有するスライド部材を初期状態から右方側にスライド操作した場合の斜視図である。
【図２１】実施の形態２に係るスライドスイッチが有するスライド部材を初期状態から右方側にスライド操作した場合の上面図である。
【符号の説明】
【００７３】
１、１０  スライドスイッチ
２  ケース
２ａ〜２ｄ  側壁
２ｅ  開口部
２ｆ、２ｇ  溝部
２ｈ  開口部
２ｉ、２ｊ  係合片
２ｋ  傾斜面
２１  隔壁
２２  第１収納部
２３  第２収納部
２４  仕切り壁
２４ａ  切欠き部
２４ｂ、２４ｃ  屈曲部
２４ｄ、２４ｅ  隙間
２５  第１ばね収納部（第１のばね収納部）
２６  第２ばね収納部（第２のばね収納部）
２７  固定接点
２７ａ  共通固定接点
２７ｂ  中央固定接点
２７ｃ  右方側固定接点
２７ｄ  左方側固定接点
３  コイルばね
４  板ばね
４１  係合突部
５  スライド部材
５１  本体部
５２  操作部
５３  板状部材
５３ａ  係合片
５３ｂ  固定部
５３ｃ  突出部
５３ｄ  固定片
５３ｅ  延出部
５４  凹部
５４ａ  突出片
６  カバー部材
６１  上面部
６２  脚部
６３  係合腕部
７  可動接点
７１  固定部
７２ａ、７２ｂ  腕部
【図１】
2010135251.tif 000003
【図２】
2010135251.tif 000004
【図３】
2010135251.tif 000005
【図４】
2010135251.tif 000006
【図５】
2010135251.tif 000007
【図６】
2010135251.tif 000008
【図７】
2010135251.tif 000009
【図８】
2010135251.tif 000010
【図９】
2010135251.tif 000011
【図１０】
2010135251.tif 000012
【図１１】
2010135251.tif 000013
【図１２】
2010135251.tif 000014
【図１３】
2010135251.tif 000015
【図１４】
2010135251.tif 000016
【図１５】
2010135251.tif 000017
【図１６】
2010135251.tif 000018
【図１７】
2010135251.tif 000019
【図１８】
2010135251.tif 000020
【図１９】
2010135251.tif 000021
【図２０】
2010135251.tif 000022
【図２１】
2010135251.tif 000023